(57)【要約】【課題】本発明はマスクへの装着も容易で、マスク本来の機能を害することなく、マスク装着時の暑苦しさや息苦しさを排除し、会話も円滑に行うことを可能とし、化粧の乱れも防ぐことができ、簡易且つ安価な構成で実現するマスク補助具を提供する。【解決手段】本発明のマスク補助具１は、マスク２０に装着して用いるマスク補助具１であって、当該マスク補助具１の外縁に構成された外縁部２と、上記外縁部２のうち特に装着時に人の鼻に当接する鼻当接部３と、上記鼻当接部３の中心３ａから下方に向けて延びている頂角部４と、上記頂角部４から左右方向にそれぞれ円弧状に傾斜する右側傾斜部５及び左側傾斜部６と、上記鼻当接部３の左右の終端位置３ｂ，３ｃに設けられ、マスク２０が把持される装着部１０，１１と、を備え、上記頂角部４及び右側傾斜部５、左側傾斜部６には、開口部７ａ，７ｂ、８ａ乃至８ｇ、９ａ乃至９ｇが設けられていることを特徴とする。【選択図】  図１
2012110577.tif 000002
【特許請求の範囲】
【請求項１】
マスクに装着して用いるマスク補助具であって、
当該マスク補助具の外縁に構成された外縁部と、
上記外縁部のうち特に装着時に人の鼻に当接する鼻当接部と、
上記鼻当接部の中心から下方に向けて延びている頂角部と、
上記頂角部から左右方向にそれぞれ円弧状に傾斜する右側傾斜部及び左側傾斜部と、
上記鼻当接部の左右の終端位置に設けられ、マスクが把持される装着部と、
を備え、上記頂角部及び右側傾斜部、左側傾斜部には、開口部が設けられていることを特徴とするマスク補助具。
【請求項２】
上記装着部は、板状部材が上方に延びて所定長で外側に折り返し、この折り返された板状部材によりマスクを把持できるように構成されていることを特徴とする請求項１に記載のマスク補助具。
【請求項３】
上記外縁部は、上記右側傾斜部及び左側傾斜部よりも緩やかな傾斜となっていることを特徴とする請求項１に記載のマスク補助具。
【請求項４】
マスクに装着して用いるマスク補助具であって、
マスク補助具本体とフィルター部材と保持部材とからなり、
上記マスク補助具本体は、
当該マスク補助具本体の外縁に構成された外縁部と、
上記外縁部のうち特に装着時に人の鼻に当接する鼻当接部と、
上記鼻当接部の左右の終端位置に設けられ、マスクが把持される装着部と、
上記フィルター部材、保持部材を係止するための係止部と、
を備えており、
上記フィルター部材は、上記保持部材により上記マスク補助具本体の裏面に当て付けられて当該保持部材が上記マスク補助具本体の上記係止部に係止することで上記マスク補助具本体に装着されること
を特徴とするマスク補助具。
【請求項５】
マスクに装着して用いるマスク補助具であって、
マスク補助具本体とフィルター部材と保持部材とからなり、
上記マスク補助具本体は、
当該マスク補助具本体の外縁に構成された外縁部と、
上記外縁部のうち特に装着時に人の鼻に当接する鼻当接部と、
上記鼻当接部の中心から下方に向けて延びている頂角部と、
上記頂角部から左右方向にそれぞれ円弧状に傾斜する右側傾斜部及び左側傾斜部と、
上記鼻当接部の左右の終端位置に設けられ、マスクが把持される装着部と、
上記フィルター部材、保持部材を係止するための係止部と、
を備えており、上記頂角部及び右側傾斜部、左側傾斜部には、開口部が設けられており、
上記フィルター部材は、上記保持部材により上記マスク補助具本体の裏面に当て付けられて当該保持部材が上記マスク補助具本体の上記係止部に係止することで上記マスク補助具本体に装着されること
を特徴とするマスク補助具。
【請求項６】
上記フィルター部材と保持部材は一体に構成されていることを特徴とする請求項４又は５のいずれかに記載のマスク補助具。
【発明の詳細な説明】
【技術分野】
【０００１】
本発明は、マスクに装着して用いるマスク補助具に関する。
【背景技術】
【０００２】
従来、一般に市販されているマスクは、口や鼻に直接当接することから、暑苦しさや息苦しさを感じたり、会話に支障が出たりしてしまう、といった問題があった。
【０００３】
このような問題に鑑みて、マスク本来の機能を損なうことなく、市販されているマスクをそのまま利用して、呼吸や会話を円滑に行うことを可能にするマスク補助具が提案されている（例えば、特許文献１参照）。即ち、特許文献１に開示されたマスク補助具は、概ね筒状の本体と、該本体にあって装着時に鼻孔の下に位置し、外側に開く排気弁を有する排気用穴と、該本体にあって装着時に鼻のほぼ正面に位置する開放部とを有する。
【先行技術文献】
【特許文献】
【０００４】
【特許文献１】特開２００２−７４８号公報
【発明の概要】
【発明が解決しようとする課題】
【０００５】
しかしながら、特許文献１に開示されたマスク補助具は、構成が複雑であり、更に鼻に装着するタイプであるため、装着時に違和感が生じる場合もある。
【０００６】
そこで、本発明は上述の技術的な課題に鑑み、市販されている一般的なマスクへの装着も容易で、マスク本来の機能を害することなく、マスク装着時の暑苦しさや息苦しさを排除し、会話も円滑に行うことを可能とし、化粧の乱れも防ぐことができる、簡易且つ安価な構成のマスク補助具を提供することを目的とする。また、フィルター部材を保持部材で取り付ける構成とし、更に効率よく細菌、花粉対策を図ることもできるマスク補助具を提供することを目的とする。
【課題を解決するための手段】
【０００７】
上述技術的な課題を解決するために、本発明の第１の態様に係るマスク補助具は、マスクに装着して用いるマスク補助具であって、当該マスク補助具の外縁に構成された外縁部と、上記外縁部のうち特に装着時に人の鼻に当接する鼻当接部と、上記鼻当接部の中心から下方に向けて延びている頂角部と、上記頂角部から左右方向にそれぞれ円弧状に傾斜する右側傾斜部及び左側傾斜部と、上記鼻当接部の左右の終端位置に設けられ、マスクが把持される装着部と、を備え、上記頂角部及び右側傾斜部、左側傾斜部には、開口部が設けられていることを特徴とする。
【０００８】
本発明の第２の態様に係るマスク補助具は、マスクに装着して用いるマスク補助具であって、マスク補助具本体とフィルター部材と保持部材とからなり、上記マスク補助具本体は、当該マスク補助具本体の外縁に構成された外縁部と、上記外縁部のうち特に装着時に人の鼻に当接する鼻当接部と、上記鼻当接部の左右の終端位置に設けられ、マスクが把持される装着部と、上記フィルター部材、保持部材を係止するための係止部と、を備えており、上記フィルター部材は、上記保持部材により上記マスク補助具本体の裏面に当て付けられて当該保持部材が上記マスク補助具本体の上記係止部に係止することで上記マスク補助具本体に装着されることを特徴とする。
【０００９】
また、本発明の第３の態様に係るマスク補助具は、マスクに装着して用いるマスク補助具であって、マスク補助具本体と、フィルター部材、保持部材からなり、上記マスク補助具本体は、当該マスク補助具本体の外縁に構成された外縁部と、上記外縁部のうち特に装着時に人の鼻に当接する鼻当接部と、上記鼻当接部の中心から下方に向けて延びている頂角部と、上記頂角部から左右方向にそれぞれ円弧状に傾斜する右側傾斜部及び左側傾斜部と、上記鼻当接部の左右の終端位置に設けられ、マスクが把持される装着部と、上記フィルター部材、保持部材を係止するための係止部と、を備えており、上記頂角部及び右側傾斜部、左側傾斜部には、開口部が設けられており、上記フィルター部材は、上記保持部材により上記マスク補助具本体の裏面に当て付けられて当該保持部材が上記マスク補助具本体の上記係止部に係止することで上記マスク補助具本体に装着されることを特徴とする。
【発明の効果】
【００１０】
本発明に係るマスク補助具は、市販されている一般的なマスクへの装着も容易で、マスク本来の機能を害することなく、マスク装着時の暑苦しさや息苦しさを排除し、会話も円滑に行うことを可能とし、化粧の乱れも防ぐことができ、簡易且つ安価な構成で実現することが可能となる。また、フィルター部材を保持部材でマスク補助具に取り付ける構成とすれば、更に効率よく細菌、花粉対策を図ることもできる。
【図面の簡単な説明】
【００１１】
【図１】本発明の第１の実施形態に係るマスク補助具の斜視図である。
【図２】本発明の第１の実施形態に係るマスク補助具を市販されているマスクに装着して用いる様子を示す図である。
【図３】本発明の第２の実施形態に係るマスク補助具の分解斜視図である。
【図４】本発明の第２の実施形態に係るマスク補助具の斜視図である。
【発明を実施するための形態】
【００１２】
以下、本発明のマスク補助具に係る好適な実施形態について図面を参照しながら説明する。なお、本発明のマスク補助具は、以下の記述に限定されるものではなく、本発明の要旨を逸脱しない範囲において、適宜変更可能である。
【００１３】
（第１の実施形態）
【００１４】
図１は、本発明の第１の実施形態に係るマスク補助具の斜視図である。
【００１５】
このマスク補助具１の外観は略半球形状をしており、装着時に人の鼻或いは口の周り（頬等）に当接する外縁部２が、その外縁に設けられている。この外縁部２のうち、鼻に当接する部分を特に鼻当接部３と称するが、この鼻当接部３は鼻の形状にフィットするように略Ｕ字形状となっている。この鼻当接部３の中心３ａから下方に向けて頂角部４が設けられており、該頂角部４から左右方向にそれぞれ円弧状に傾斜する右側傾斜部５、左側傾斜部６が延びている。
【００１６】
頂角部４には、２つのスリット状の開口部７ａ，７ｂが設けられており、右側傾斜部５には７つのスリット状の開口部８ａ乃至８ｇが設けられており、左側傾斜部６には７つのスリット状の開口部９ａ乃至９ｇが設けられている。これら開口部の数や形状は一例であってこれには限定されない。すなわち、開口部は、上記のほか、例えば丸形状、楕円形状等、多種態様な形状とすることが可能である。外縁部２は、右側傾斜部５、左側傾斜部６よりも傾きが緩やかになっている。これは、外縁部２を、人の鼻や口の周り（頬等）により一層フィットさせるためである。
【００１７】
外縁部２の鼻当接部３の左右の終端３ｂ，３ｃの位置には、マスク補助具１をマスクに装着するための装着部１０，１１が設けられている。装着部１０，１１は、板状部材が上方に延びて所定長で外側に折り返し、この折り返された板状部材によりマスクを把持できるように構成されている。この装着部１０，１１は、マスク補助具１を装着者の顔に対して位置決めする役割も担っている。即ち、装着部１０と装着部１１の間に鼻が入り、鼻当接部３に鼻が当接するように装着すればよく、装着時に装着位置をガイドする役割も担っているのである。
【００１８】
実際にマスク補助具１を市販されている一般的なマスク２０に装着した様子は、図２に示される通りである。この図２に示されるように、マスク２０の上方外端部２０ａにマスク補助具１の装着部１０，１１を装着することで、即ちマスク２０の上方外端部２０ａを装着部１０，１１で把持することで、マスク２０に対するマスク補助具１の位置関係が固定されるようになっている。装着部１０，１１は、板状部材が折り曲げられて構成されているが、その折り曲げられている板状部材の間にマスク２０の上方外端部２０ａを入れ込むことで、マスク補助具１をマスク２０に装着することになる。
【００１９】
このような構成において、マスク補助具１の装着部１０，１１をマスク２０の上方外端部２０ａに装着し、マスク補助具１の外縁部２が鼻及び口の周りに当接するように該マスク補助具１が装着されたマスク２０を装着する。前述したように、マスク補助具１は、半球状になっており、鼻当接部３の中心３ａから下方に向けて頂角部４が設けられ、該頂角部４から左右方向にそれぞれ円弧状に傾斜する右側傾斜部５、左側傾斜部６が延びた構成なので、口や鼻とマスク補助具１の間に空間が作られる。これにより、マスク２０やマスク補助具１が口や鼻に直接当接することもないので、息苦しさや暑苦しさを感じさせることもなく、会話も円滑に行うことを可能としている。
【００２０】
また、頂角部４、右側傾斜部５、左側傾斜部６には前述したようなスリット状の開口部７ａ，７ｂ、８ａ乃至８ｇ、９ａ乃至９ｇが設けられているので、当該スリット状の開口部、マスク２０を介して呼吸もすることができるので、通常のマスクとしての機能は維持することが可能となっている。さらに、前述したように、口や鼻とマスク補助具１の間には空間が作られるので、化粧がマスク２０について乱れることもない。さらに、装着部１０，１１により、マスク補助具１がマスク２０にしっかりと装着されるので、マスク２０の取り外しの際にも、マスク補助具１がマスク２０と一体となり、当該マスク補助具１が取れ落ちることもない。
【００２１】
マスク補助具１の材質としては、合成樹脂やゴム、紙類、その他の材質が採用可能であるが、特に、食品容器や包装用フィルムをはじめ、様々な用途に利用されているポリエチレン(polyethylene)、ポリプロピレン(polypropylene)などのポリオレフィン系プラスチックの採用が、衛生面や人体への安全面で好適である。そのほか、環境面を考慮した生分解性プラスチックやバイオマスプラスチック等も採用可能である。
【００２２】
以上説明したように、本発明の第１の実施形態によれば、マスク２０に装着して用いるマスク補助具１であって、当該マスク補助具１の外縁に構成された外縁部２と、上記外縁部２のうち特に装着時に人の鼻に当接する鼻当接部３と、上記鼻当接部３の中心３ａから下方に向けて延びている頂角部４と、上記頂角部４から左右方向にそれぞれ円弧状に傾斜する右側傾斜部５及び左側傾斜部６と、上記鼻当接部３の左右の終端位置３ｂ，３ｃに設けられ、マスク２０が把持される装着部１０，１１と、を備え、上記頂角部４及び右側傾斜部５、左側傾斜部６には、スリット状の開口部７ａ，７ｂ、８ａ乃至８ｇ、９ａ乃至９ｇが設けられていることを特徴とするマスク補助具が提供される。
【００２３】
ここで、上記装着部１０，１１は、板状部材が上方に延びて所定長で外側に折り返し、この折り返された板状部材によりマスク２０を把持できるように構成されていることを特徴としてよい。上記外縁部２は、上記右側傾斜部５及び左側傾斜部６よりも緩やかな傾斜となっていることを特徴としてよい。
【００２４】
さらに、マスク補助具１の外縁部２が、外に捲れるような形状としてもよい。このような形状とすれば、外縁部２の捲れた屈曲部分が肌に当接することになるので、装着者にソフトな当接感を与えることになる。
【００２５】
（第２の実施形態）
【００２６】
図３は、本発明の第２の実施形態に係るマスク補助具の分解斜視図である。
【００２７】
詳細は後述するが、この第２の実施形態に係るマスク補助具本体３１には、交換自在のフィルター部材５０を保持部材６０で押さえ付けて装着できるようになっている。第２の実施形態では、これらマスク補助具本体３１、フィルター部材５０、保持部材６０によりマスク補助具が構成されることになる。
【００２８】
このマスク補助具本体３１の外観は、ここでも略半球形状をしており、装着時に人の鼻或いは口の周り（頬等）に当接する外縁部３２が外縁に設けられている。この外縁部３２のうち、鼻に当接する部分を特に鼻当接部３３と称するが、この鼻当接部３３は鼻の形状にフィットするように略Ｕ字形状となっている。この鼻当接部３３の中心３３ａから下方に向けて頂角部３４が設けられており、該頂角部３４から左右方向にそれぞれ円弧状に傾斜する右側傾斜部３５、左側傾斜部３６が延びている。
【００２９】
頂角部３４には、この例では２つのスリット状の開口部３７が設けられており、右側傾斜部３５には７つのスリット状の開口部３８が設けられており、左側傾斜部３６には７つのスリット状の開口部３９が設けられている。これら開口部の数や形状は一例であってこれには限定されない。すなわち、開口部は、上記のほか、例えば丸形状、楕円形状等、多種態様な形状とすることが可能である。外縁部３２は、右側傾斜部３５、左側傾斜部３６よりも傾きが緩やかになっている。これは、外縁部３２を、人の鼻や口の周り（頬等）により一層フィットさせるためである。外縁部３２の左右の端部分には、フィルター部材５０を保持部材６０で押さえ付けて装着するための係止部４２，４３が設けられている。
【００３０】
外縁部３２の鼻当接部３３の左右の終端３３ｂ，３３ｃの位置には、マスク補助具本体３１をマスクに装着するための装着部４０，４１が設けられている。この装着部４０，４１は、板状部材が上方に延びて所定長で外側に折り返し、この折り返された板状部材によりマスクを把持できるように構成されている。マスクの上方外端部にマスク補助具３１の装着部４０，４１を装着することで、即ちマスクの上方外端部を装着部４０，４１で把持することで、マスクに対するマスク補助具３１の位置関係が固定されるようになっている。換言すれば、この装着部４０，４１は、板状部材が折り曲げられて構成されているが、その折り曲げられている板状部材の間にマスクの上方外端部を入れ込むことで、マスク補助具３１をマスクに装着することになる。
【００３１】
このような構成において、マスク補助具本体３１に背面からフィルター部材５０を当て付けて保持部材６０でその背面から押さえ付けて当該フィルター部材５０と保持部材６０の左右両端部分を係止部４２，４３に係止することで固定する。即ち、フィルター部材５０を保持部材６０でマスク補助具３１に取り付ける。この取り付けた様子は、例えば図４に示される通りである。尚、マスク補助具本体３１の外縁部３２に凹部（又は凸部）を設け、保持部材６０に凸部（又は凹部）を設け、両者が勘合することで保持部材６０がフィルター部材５０を挟む形でマスク補助具本体３１に装着されるようにしてもよい。或いは、保持部材６０に所定の引掛け部を設け、マスク補助具本体３１のスリット状の開口部に引っ掛けることで、保持部材６０がフィルター部材５０を挟む形でマスク補助具本体３１に装着されるようにしてもよい。この他、両面テープやマジックテープ（登録商標）により、保持部材６０がフィルター部材５０を挟む形でマスク補助具本体３１に装着されるようにしてもよい。
【００３２】
保持部材６０は、マスク補助具本体３１と同じように、略半球形状をしており、中心部において下方に向けて頂角部６１が設けられており、該頂角部６１から左右方向にそれぞれ円弧状に傾斜する右側傾斜部６２、左側傾斜部６３が延びている。頂角部６１には２つのスリット状の開口部６４が設けられており、右側傾斜部６２には７つのスリット状の開口部６５が設けられており、左傾斜部６３には７つのスリット状の開口部６６が設けられている。これら開口部の数や形状は一例であってこれには限定されない。すなわち、開口部は、上記のほか、例えば丸形状、楕円形状等、多種態様な形状とすることが可能である。
【００３３】
このフィルター部材５０を保持部材６０でマスク補助具本体３１に取り付けた後、マスク補助具本体３１の装着部４０，４１をマスクの上方外端部に装着し、マスク補助具本体３１の外縁部３２が鼻及び口の周りに当接するように該マスク補助具本体３１が装着されたマスクを装着する。ここで、前述したように、マスク補助具本体３１は、半球状になっており、鼻当接部３３の中心３３ａから下方に向けて頂角部３４が設けられ、該頂角部３４から左右方向にそれぞれ円弧状に傾斜する右側傾斜部３５、左側傾斜部３６が延びた構成なので、口や鼻とマスク補助具３１の間に空間が作られる。これにより、マスクやマスク補助具３１が口や鼻に直接当接することもないので、息苦しさや暑苦しさを感じさせることもなく、会話も円滑に行うことを可能としている。
【００３４】
さらに、マスク補助具本体３１の頂角部３４、右側傾斜部３５、左側傾斜部３６には前述したようなスリット状の開口部３７，３８，３９が設けられており、保持部材６０の頂角部６１、右側傾斜部６５、左側傾斜部６６には、前述したようなスリット状の開口部６４，６５，６６が設けられているので、当該スリット状の開口部６４，６５，６６、フィルター部材５０、マスクを介して呼吸もすることができるので、通常のマスクとしての機能は維持することが可能となっている。さらに、前述したように、口や鼻と保持部材６０の間には空間が作られるので、化粧がマスクについて乱れることもない。
【００３５】
マスク補助具本体３１、保持部材６０の材質としては、合成樹脂やゴム、紙類、その他の材質が採用可能であるが、特に、食品容器や包装用フィルムをはじめ、様々な用途に利用されているポリエチレン(polyethylene)、ポリプロピレン(polypropylene)などのポリオレフィン系プラスチックの採用が、衛生面や人体への安全面で好適である。そのほか、環境面を考慮した生分解性プラスチックやバイオマスプラスチック等も採用可能である。フィルター部材５０としては、綿ガーゼや不織布を採用することができる。また、フィルター部材５０を複数の不織布の多層構造としてもよい。このような構成によれば、花粉を効率的にブロックすることができる。フィルター部材５０を抗菌加工してもよい。フィルター部材５０だけを交換することも可能である。
【００３６】
尚、上記構成では、マスク補助具本体３１の頂角部３４には２つのスリット状の開口部３７が設けられ、右側傾斜部３５には７つのスリット状の開口部３８が設けられ、左傾斜部３６には７つのスリット状の開口部３９が設けられていたが、係止部４２，４３や装着部４０，４１が形成された外縁部３２を残し、他の部分を開口部とし、つまり、係止部４２，４３や装着部４０，４１が形成された外縁部３２（鼻当接部３３を含む）のみの環状部材としてもよい。
【００３７】
また、フィルター部材５０を保持部材６０に貼り付ける等して一体に構成してもよい。
【００３８】
以上説明したように、本発明の第２の実施形態によれば、マスクに装着して用いるマスク補助具であって、マスク補助具本体３１とフィルター部材５０と保持部材６０とからなり、上記マスク補助具本体３１は、当該マスク補助具本体３１の外縁に構成された外縁部３２と、上記外縁部３２のうち特に装着時に人の鼻に当接する鼻当接部３３と、上記鼻当接部３３の左右の終端位置に設けられ、マスクが把持される装着部４０，４１と、上記フィルター部材５０、保持部材６０を係止するための係止部４２，４３とを備えており、上記フィルター部材５０は、上記保持部材６０により上記マスク補助具本体３１の裏面に当て付けられて当該保持部材６０が上記マスク補助具本体３１の上記係止部４２，４３に係止することで上記マスク補助具本体３１に装着されることを特徴とするマスク補助具が提供される。
【００３９】
さらに、本発明の第２の実施形態によれば、マスクに装着して用いるマスク補助具であって、マスク補助具本体３１と、フィルター部材５０、保持部材６０からなり、上記マスク補助具本体３１は、当該マスク補助具本体３１の外縁に構成された外縁部３２と、上記外縁部３２のうち特に装着時に人の鼻に当接する鼻当接部３３と、上記鼻当接部３３の中心３３ａから下方に向けて延びている頂角部３４と、上記頂角部３４から左右方向にそれぞれ円弧状に傾斜する右側傾斜部３５及び左側傾斜部３６と、上記鼻当接部３３の左右の終端位置３３ｂ，３３ｃに設けられ、マスクが把持される装着部４０，４１と、上記フィルター部材５０、保持部材６０を係止するための係止部４２，４３とを備えており、上記頂角部３４及び右側傾斜部３５、左側傾斜部３６には、スリット状の開口部３７，３８，３９が設けられており、上記フィルター部材５０は、上記保持部材６０により上記マスク補助具本体３１の裏面に当て付けられて当該保持部材６０が上記マスク補助具本体３１の上記係止部４２，４３に係止することで上記マスク補助具本体３１に装着されることを特徴とするマスク補助具が提供される。
【００４０】
ここで、上記フィルター部材５０と保持部材６０は一体に構成されていてもよい。
【００４１】
以上の構成によれば、更に効率よく細菌、花粉対策を図ることもできる。
【符号の説明】
【００４２】
１  マスク補助具
２  外縁部
３  鼻当接部
３ａ  鼻当接部の中心
３ｂ  鼻当接部の終端
３ｃ  鼻当接部の終端
４  頂角部
５  右側傾斜部
６  左側傾斜部
７ａ，７ｂ  開口部
８ａ〜８ｇ  開口部
９ａ〜９ｇ  開口部
１０  装着部
１１  装着部
２０  マスク
２０ａ  上方外端部
３１  マスク補助具本体
３２  外縁部
３３  鼻当接部
３３ａ  鼻当接部の中心
３３ｂ  鼻当接部の終端
３３ｃ  鼻当接部の終端
３４  頂角部
３５  右側傾斜部
３６  左側傾斜部
３７  開口部
３８  開口部
３９  開口部
４０  装着部
４１  装着部
４２  係止部
４３  係止部
５０  フィルター部材
６０  保持部材
６１  頂角部
６２  右側傾斜部
６３  左側傾斜部
６４  開口部
６５  開口部
６６  開口部
【図１】
2012110577.tif 000003
【図２】
2012110577.tif 000004
【図３】
2012110577.tif 000005
【図４】
2012110577.tif 000006